(57)【要約】【課題】保冷車の予冷作業を支援する保冷車運行支援装置を提供する。【解決手段】保冷車の予冷作業を支援する保冷車運行支援装置１において、前記貨物室内の温度変化から予冷終了温度が迫っていることを判定するための予冷終了条件情報を記憶する予冷終了条件情報記憶手段１１ｂと、前記予冷作業中の時々刻々変化する前記保冷車の貨物室内の温度を示す温度データを時系列的に収集する温度データ収集手段１１ａ１と、前記温度データ収集手段１１ａ１が収集した温度データと前記予冷終了条件情報記憶手段１１ｂが記憶している予冷終了条件情報との比較結果に基づいて、予冷終了時間が迫っているか否かを判定する予冷終了判定手段１１ａ２と、前記予冷終了時間が迫っていると前記予冷終了検出手段１１ａ２が判定したことを通知する予冷終了通知手段５０と、を有することを特徴とする。【選択図】図１
2007263498.tif 000002
【特許請求の範囲】
【請求項１】
保冷車の予冷作業を支援する保冷車運行支援装置において、
前記貨物室内の温度変化から予冷終了温度が迫っていることを判定するための予冷終了条件情報を記憶する予冷終了条件情報記憶手段と、
前記予冷作業中の時々刻々変化する前記保冷車の貨物室内の温度を示す温度データを時系列的に収集する温度データ収集手段と、
前記温度データ収集手段が収集した温度データと前記予冷終了条件情報記憶手段が記憶している予冷終了条件情報との比較結果に基づいて、予冷終了時間が迫っているか否かを判定する予冷終了判定手段と、
前記予冷終了時間が迫っていると前記予冷終了検出手段が判定したことを通知する予冷終了通知手段と、
を有することを特徴とする保冷車運行支援装置。
【請求項２】
前記予冷終了条件情報は、前記予冷終了温度が迫っているとの判定タイミングが予め定められた予冷通知時間となっていることを特徴とする請求項１に記載の保冷車運行支援装置。
【請求項３】
前記予冷終了通知手段が、前記保冷車の作業者が携帯する携帯機器を有することを特徴とする請求項１又は２に記載の保冷車運行支援装置。
【発明の詳細な説明】
【技術分野】
【０００１】
本発明は、保冷車の予冷作業を支援する保冷車運行支援装置に関するものである。
【背景技術】
【０００２】
運送する生鮮食品等の物品を収容する保冷機能のある貨物室を有する冷凍車両には、その貨物室内の温度を管理するために、貨物室内に温度センサを設置し、例えば、メモリカードが挿入されてから離脱されるまでの積荷管理期間に、前記温度センサにて貨物室の庫内温度を測定してその貨物室内温度の履歴をメモリカードに保持する貨物室内温度履歴収集装置が搭載されていた。
【０００３】
引用文献１に示す配車装置管理システムでは、貨物室内の温度の時系列データである温度履歴情報を取得して分析し、配送装置の使用に関する判断を行っている。そして、該配車装置が蓄冷剤によって物品を所定温度域に保持している場合、予冷に必要な予冷時間を演算して作業者に通知することで、蓄冷材を予冷し始める適切なタイミングを作業者に認識させて省エネルギーが図られてきた。
【特許文献１】特開２００４−２５１５０８号公報
【発明の開示】
【発明が解決しようとする課題】
【０００４】
上述したような予冷作業は、作業者等が行い、その際には時間だけで予冷作業の終了時期を管理していた。しかしながら、冷凍車両の効率的な配車を行うためには、予め目標とした温度に下がったことが確認できた時点で予冷作業を終了すべきであるが、その間、作業者等はその温度変化を監視しなければならなかった。また、従来のように時間だけで予冷作業の終了を管理していると、十分な予冷ができているにもかかわらず、予冷終了予定時間まで待たなければならないという無駄な時間が発生する可能性があった。
【０００５】
よって本発明は、上述した問題点に鑑み、保冷車の予冷作業を支援して配車の効率を向上させることができる保冷車運行支援装置を提供することを課題としている。
【課題を解決するための手段】
【０００６】
上記課題を解決するため本発明によりなされた請求項１記載の保冷車運行支援装置は、図１の基本構成図に示すように、保冷車の予冷作業を支援する保冷車運行支援装置１において、前記貨物室内の温度変化から予冷終了温度が迫っていることを判定するための予冷終了条件情報を記憶する予冷終了条件情報記憶手段１１ｂと、前記予冷作業中の時々刻々変化する前記保冷車の貨物室内の温度を示す温度データを時系列的に収集する温度データ収集手段１１ａ１と、前記温度データ収集手段１１ａ１が収集した温度データと前記予冷終了条件情報記憶手段１１ｂが記憶している予冷終了条件情報との比較結果に基づいて、予冷終了時間が迫っているか否かを判定する予冷終了判定手段１１ａ２と、前記予冷終了時間が迫っていると前記予冷終了検出手段１１ａ２が判定したことを通知する予冷終了通知手段５０と、を有することを特徴とする。
【０００７】
上記請求項１に記載した本発明の保冷車運行支援装置によれば、予冷終了条件情報記憶手段１１ｂには、貨物室内の温度変化から予冷終了温度が迫っていることを判定するための予冷終了条件情報が記憶される。そして、温度データ収集手段１１ａ１によって温度データが収集されると、予冷終了判定手段１１ａ２によって該温度データと予冷終了条件情報が比較され、該比較結果に基づいて予冷終了時間が迫っているか否かが判定される。そして、予冷終了時間が迫っているとの判定結果は予冷終了通知手段５０によって作業者等に通知される。
【０００８】
上記課題を解決するためになされた請求項２記載の発明は、図１の基本構成図に示すように、請求項１に記載の保冷車運行支援装置において、前記予冷終了条件情報は、前記予冷終了温度が迫っているとの判定タイミングが予め定められた予冷通知時間となっていることを特徴とする。
【０００９】
上記請求項２に記載した本発明の保冷車運行支援装置によれば、予冷終了温度が迫っているとの判定タイミングが予め定められた予冷通知時間となるように予冷終了条件情報は構成される。そして、予冷終了判定手段１１ａ２によって該温度データと予冷終了条件情報が比較され、該比較結果に基づいて予冷終了時間が迫っている、つまり予冷通知時間か否かが判定される。そして、予冷終了時間が迫っているとの判定結果は予冷終了通知手段５０によって作業者等に通知される。
【００１０】
上記課題を解決するためになされた請求項３記載の発明は、図１の基本構成図に示すように、請求項１又は２に記載の保冷車運行支援装置において、前記予冷終了通知手段５０が、前記保冷車の作業者が携帯する携帯機器を有することを特徴とする。
【００１１】
上記請求項３に記載した本発明の保冷車運行支援装置によれば、予冷終了時間が迫っているとの判定結果は、作業者が携帯する携帯機器にて通知される。
【発明の効果】
【００１２】
以上説明したように請求項１に記載した本発明の保冷車運行支援装置によれば、貨物室内の温度変化から予冷終了温度が迫っていることを判定するための予冷終了条件情報を記憶しておき、この予冷終了条件情報と収集した温度データが示す温度変化から予冷終了温度が迫っているとの判定結果を通知するようにしたことから、作業者は予冷作業の完了を事前に知ることができるため、作業者等の作業時間の効率化を図ることができる。従って、予冷終了時間を的確に把握することで、保冷車の効率的な配車に貢献することができる。
【００１３】
請求項２に記載の発明によれば、請求項１に記載の発明の効果に加え、予冷終了時間が迫っていると判定した判定結果を、予め定められた予冷通知時間に通知するようにしたことから、作業者は予冷作業の完了を所望の時間に知ることができるため、作業者等の作業時間のより一層の効率化を図ることができる。
【００１４】
請求項３に記載の発明によれば、請求項１又は２に記載の発明の効果に加え、予冷終了時間が迫っているとの判定結果を、作業者が携帯する携帯機器にて通知するようにしたことから、予冷作業中に仮眠をとっている作業者や他の作業を行っている作業者など全ての作業者に確実に通知することができるため、作業者等の作業時間のより一層の効率化を図ることができる。
【発明を実施するための最良の形態】
【００１５】
以下、本発明に係る保冷車運行支援装置を周知である運行情報支援装置（デジタルタコグラフ）を用いて実現する場合の一実施の形態を、図２〜図５の図面を参照して説明する。
【００１６】
図２において、本発明に係る保冷車運行支援装置１は、保冷車２に搭載されている。保冷車２は、周知であるように、運送する生鮮食品等の物品を収容する保冷機能のある貨物室３を有している。なお、予冷とは、貨物室３内の保冷温度を保つためにあらかじめ冷やすことを意味している。
【００１７】
保冷車運行支援装置１は、周知である運行情報収集装置１０と、通信装置２０と、温度センサ３０と、保冷車３の作業者が保持する携帯電話機５０と、を有している。運行情報収集装置１０には、通信装置２０及び温度センサを接続している。
【００１８】
運行情報収集装置１０は、周知であるように、マイクロプロセッサ（ＭＰＵ）１１と、装置本体がオフ状態の間も記憶内容の保持が可能な電気的消去／書き換え可能な読み出し専用のメモリ（ＥＥＰＲＯＭ）１２と、表示部１３と、操作部１４と、カード挿入部１５と、を有している。そして、ＭＰＵ１１には、図示しないインタフェースを介して上述した通信装置２０及び温度センサ３０を接続している。
【００１９】
ＭＰＵ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００２０】
ＲＯＭ１１ｂは、入庫から出庫までの運行中に発生する運行情報を時系列的に収集してカードに記憶するためのプログラムを記憶している。また、ＲＯＭ１１ｂは、ＣＰＵ１１ａを請求項中の温度データ収集手段及び予冷終了判定手段として機能させるための予冷終了通知プログラムを記憶している。
【００２１】
ＥＥＰＲＯＭ１２は、貨物室３内の予冷終了までの残り時間を予測する予冷終了条件情報と、予冷通知時間情報と、を記憶しており、請求項中の予冷終了条件情報記憶手段として機能している。予冷通知時間情報は、予冷設定温度と予冷通知時間とが作業者等によって任意に設定することができる。
【００２２】
予冷終了条件情報は、図４に示すように、蓄冷材を予冷し始めてからの予冷中における貨物室３内の温度変化に基づいて、予冷設定温度ｔまでの時間が予冷通知時間となったか否かを判定するための条件を示す各種データを有している。なお、図４中の縦軸は温度（℃）、横軸は時間（分）、波形Ｇは温度変化をそれぞれ示しており。
【００２３】
例えば、図４に示すように、貨物室３内に対応する予冷終了までの時間が予測可能な予冷設定温度ｔに対する傾きΔｔを設定し、該傾きΔｔを有する一次式Ｌを予冷終了条件情報としている。そして、所定時間に亘る温度変化部分Ｂが一次式Ｌと重なったときに、予冷終了までの時間を予測可能と判定するようにしている。つまり、予冷終了までの時間として「２時間前」が設定されている場合は、予冷終了まで２時間の時点を検出することが可能な構成となる。
【００２４】
このように予冷終了条件情報には、予冷通知時間情報に設定可能な設定時間に対応する一次式Ｌが複数設定されている。そして、ＣＰＵ１１ａは、予冷通知時間情報に設定されている予冷設定温度と予冷通知時間とに対応する一次式Ｌを選択して、予冷終了時間が迫っていることを検出する。
【００２５】
なお、予冷終了条件情報としては、貨物室３内の予冷終了までの残り時間を予測することができれば、例えば冷凍パワーの強弱により曲線データ、２次式、データテーブルなど種々異なる構成とすることもできる。
【００２６】
表示部１３は、７セグメントのＬＥＤ、ＬＣＤ等の各種表示装置が用いられ、表示部１３はＭＰＵ１１から入力される情報に基づいた表示を行う。操作部１４は、各種操作を行うための複数のキースイッチを有している。そして、その操作に応じた操作信号はＭＰＵ１１に入力される。
【００２７】
カード挿入部１５は、ＭＰＵ１１に接続されている。カード挿入部は、挿入されたメモリカード、ＩＣカード等のカード（図示せず）に指定されたデータ等の書き込み、読み込みを行うもので、カードのカード挿入部１５に対する挿入・抜去は手動で行う。そして、そのカードに上述した予冷終了条件情報を記憶する実施形態とすることもできる。
【００２８】
通信装置２０は、例えば、デジタル携帯電話（ＰＤＣ＝personal digital cellular）や無線装置などが用いられる。ＭＰＵ１１から入力される情報を指定された遠隔地の通信先（例えば、営業所などの管理装置等）に無線にて送信するとともに、外部から受信した情報をＭＰＵ１１に出力する。
【００２９】
温度センサ３０は、貨物室３内に設けられた複数（図２中では３つ）のセンサ素子３１を有している。各センサ素子３１は、設置個所の温度に応じた温度信号をＭＰＵ１１に出力する。そして、ＣＰＵ１１ａは、入力された温度信号を温度データとして時系列的に取り込み、その温度データに基づいて温度変化を監視する。なお、本最良の形態では、センサ素子３１を複数設ける場合について説明するが、１又は４つ以上のセンサ素子３１を用いることもできる。
【００３０】
携帯電話機５０は、請求項中の予冷終了通知手段として機能している。携帯電話機５０は、周知であるように、無線信号を受信するアンテナと、アンテナを介して受信した無線信号の復調その他必要な処理を行う無線部と、復調された無線信号を受信する制御等の携帯電話機の動作を制御し、制御用ＬＳＩ、ＣＰＵ等が用いられる制御部と、音波を電流の変化にかえるのに用いる送話器と、電子メールの内容その他のデータを表示する表示部と、使用者が種々のデータを入力する操作部と、を有する。そして、携帯電話機５０は、保冷車運行支援装置１の通信装置２０との間で各種情報の送受信を行い、受信した予冷終了通知情報を表示部に表示する。
【００３１】
次に、上述した構成の保冷車運行支援装置１のＣＰＵ１１ａが実行する本発明に係る予冷終了通知処理の一例を、図５のフローチャートを参照して以下に説明する。
【００３２】
図５に示す予冷終了通知処理は、保冷車１における予冷作業の開始要求の発生に応じて起動され、ステップＳ１１（温度データ収集手段）において、複数のセンサ素子３１からの温度信号が温度データとして収集され、これらの温度データは例えば検出時間に関連付けられることで時系列的にＲＡＭ１１ｃに記憶され、ステップＳ１２に進む。
【００３３】
ステップＳ１２において、ＲＡＭ１１ｃの温度データと上述した予冷終了条件情報とが比較され、該比較結果に基づいて予冷終了の予測が可能であるか否かが判定される。例えば、今回の検出時点から所定時間に亘って遡った時間範囲内における温度変化を求め、該温度変化が予冷収容条件情報が示す図３中の予冷設定温度ｔに対応する一次式Ｌに重なった時に、予冷終了時間が予測できると判断して、予冷終了時間を予測する。また、一次式Ｌに重なっていない時は、予冷終了時間は予測できないことから予冷終了時間には何も設定されない。
【００３４】
ステップＳ１３において、予冷終了時間と予冷通知時間との比較結果に基づいて、予冷終了時間が迫っているか否かが判定される。予冷終了時間が迫っていないと判定された場合は（Ｓ１３でＮ）、ステップＳ１１に戻り、一連の処理が繰り返される。また、予冷終了時間が迫っていると判定された場合は（Ｓ１３でＹ）、ステップＳ１４に進む。
【００３５】
ステップＳ１４（予冷終了判定手段）において、ＲＡＭ１１ｃの通知済みフラグが設定されているか否かの結果に基づいて、通知を行っているか否かが判定される。通知していると判定された場合は（Ｓ１４でＹ）、ステップＳ１１に戻り、一連の処理が繰り返される。一方、通知していないと判定された場合は（Ｓ１４でＮ）、ステップＳ１５に進む。
【００３６】
ステップ１５において、予冷終了を通知するための予冷終了通知情報が生成され、該予冷終了通知情報が通信装置２０に出力され、その後ステップＳ１６に進む。この通信装置２０は予め定められた作業者の携帯電話５０に送信する。そして、携帯電話機５０は、受信した予冷終了通知情報を表示部に通知する。なお、予冷終了通知情報の一例としては、予冷設定温度温度、現在温度、予冷終了予定時間等の各種データを有する構成となっているが、その構成は作業者等によって任意に設定することができる。
【００３７】
ステップＳ１６において、ＲＡＭ１１ｃの通知済みフラグにＯＮが設定され、その後ステップＳ１１に戻り、一連の処理が繰り返される。
【００３８】
次に、上述した構成による本発明に保冷車運行支援装置１の動作（作用）の一例を以下に説明する。
【００３９】
運行情報収集装置１０の操作部１４の所定操作に応じて保冷車２の貨物室３の予冷が開始されたことを保冷車運行支援装置１は検出すると、貨物室３に設けられた温度センサ３０から所定時間毎に温度信号が温度データとして収集し、ＲＡＭ１１ｃに時系列的に記憶する。そして、その温度データと予冷終了条件情報とに基づいて予冷終了が迫っているか否かを判定する。
【００４０】
ここでは、ＥＥＰＲＯＭ１２に記憶している予冷終了条件情は、予冷設定（終了）温度ｔが迫っているとの判定タイミングが、予め定められた予冷通知時間（例えば２時間前）となるように設定されている場合について説明する。つまり、予冷終了の２時間前か否かを判定する。
【００４１】
予冷が開始されると、図４中の波形Ｇに示すように、貨物室３内の温度は約３０℃から低下し、温度が低下するにしたがって波形Ｇの傾斜は緩やかになってくる。そして、その変化を温度変化として捉え、該温度変化が予冷設定温度ｔに対応する一次式Ｌと重なるか否かを監視する。そして、約−１２０分の時点で温度変化と一次式Ｌとが重なることを検出すると、予冷設定温度ｔまで後２時間で到達すると推測できるため、予冷終了通知情報を生成して作業者が携帯する携帯電話機５０に送信する。そして、携帯電話機５０は、受信した予冷終了通知情報を表示部に表示することで、作業者に対する予冷終了を通知する。なお、通知方法については、表示とともに、警報音、音声等を出力するようにしても良い。
【００４２】
以上説明した本発明の保冷車運行支援装置１によれば、貨物室３内の温度変化から予冷設定温度ｔ（予冷終了温度）が迫っていることを判定するための予冷終了条件情報をＥＥＰＲＯＭ１２に記憶しておき、この予冷終了条件情報と収集した温度データが示す温度変化から予冷終了温度が迫っているとの判定結果を通知するようにしたことから、作業者は予冷作業の完了を事前に知ることができるため、作業者等の作業時間の効率化を図ることができる。従って、予冷終了時間を的確に把握することで、保冷車２の効率的な配車に貢献することができる。
【００４３】
また、予冷終了時間が迫っていると判定した判定結果を、予め定められた予冷通知時間に通知するようにしたことから、作業者は予冷作業の完了を例えば２時間前などの所望の時間に知ることができるため、作業者等の作業時間のより一層の効率化を図ることができる。
【００４４】
さらに、予冷終了時間が迫っているとの判定結果を、作業者が携帯する携帯電話機５０にて通知するようにしたことから、予冷作業中に仮眠をとっている作業者や他の作業を行っている作業者など全ての作業者に確実に通知することができるため、作業者等の作業時間のより一層の効率化を図ることができる。
【００４５】
なお、上述した本最良の形態では、予冷終了通知手段を作業者が携帯する携帯電話機５０で実現する場合について説明したが、本発明はこれに限定するものではなく、運行情報収集装置１０の表示部１３に表示して通知する、図示しない警報部から出力して通知するなど種々異なる実施形態とすることができる。
【００４６】
また、上述した本最良の形態では、予め定められた予冷通知時間（例えば２時間前）となるように設定されている場合について説明したが、本発明はこれに限定するものではなく、予冷通知時間は任意に設定できるものであり、例えば、貨物室３内の温度変化から予冷終了温度が迫っていると判定した時点、該時点から所定時間が経過した時点など設定することができる。
【００４７】
また、保冷車運行支援装置１を運行情報収集装置１０に適用して実現する場合について説明したが、単独の装置として保冷車２に搭載する実施形態とすることもできる。
【図面の簡単な説明】
【００４８】
【図１】本発明の保冷車運行支援装置の基本構成を示す構成図である。
【図２】本発明の保冷車運行支援装置の実施例を示す構成図である。
【図３】図２中の運行情報収集装置の概略構成の一例を示す構成図である。
【図４】保冷車の貨物室内の温度変化を説明するためのグラフである。
【図５】図３中のＣＰＵが実行する本発明に係る予冷終了通知処理の一例を示すフローチャートである。
【符号の説明】
【００４９】
１    保冷車運行支援装置
２    保冷車
３    貨物室
１０    運行情報収集装置
１１ａ１    温度データ収集手段（ＣＰＵ）
１１ａ２    予冷終了判定手段（ＣＰＵ）
１１ｂ    予冷終了条件情報記憶手段（ＥＥＰＲＯＭ）
５０    予冷終了通知手段（携帯電話機）
【図１】
2007263498.tif 000003
【図２】
2007263498.tif 000004
【図３】
2007263498.tif 000005
【図４】
2007263498.tif 000006
【図５】
2007263498.tif 000007